(57)【要約】      （修正有）【課題】針先端部がキャップの中に安全で容易に挿入され得るようにした注射針先端部の安全キャップを提供する。【解決手段】薬液を充填する薬剤チャンバ３１１を有して、その一端がプランジャ３１２を介して薬液を加圧可能であり、一方で、他端が取付け部分を備えて形成されるようにした注射器本体３０と、その一端が前記取付け部分に係合される係合部分３２１を有し、他端が薬液を解放する装着部分３２を介して針に固定取付けされるようにした針先端部３４と、開放端部２２及び閉鎖端部２４を有して、針先端部の外側に被せられ、針を保護するようにしたキャップとによって構成され、キャップの開放端部が、徐々に拡径する漏斗形状の案内部分２６を外側に向かって形成し、開放端部の内径が、針先端部の装着部分の外径と締り嵌めされるようにした。【選択図】図３
0003107349.tif 000002
【実用新案登録請求の範囲】
【請求項１】
その一端が薬液を加圧する加圧部分を有し、一方で、他端に注射口が形成され、前記注射口に取付け部分が形成されるようにした、薬液を充填する注射器本体と、
その一端が前記取付け部分に係合される係合部分を有する針先端部と、
開放端部及び閉鎖端部を有するキャップと、
によって構成される注射器用の注射針先端部の安全キャップであり、
キャップの開放端部が、漏斗形状の案内部分を外側に向かって形成し、開放端部の内径が、針先端部の装着部分の外径と締り嵌めされるようにしたことを特徴とする注射針先端部の安全キャップ。
【請求項２】
注射器用の注射針先端部の安全キャップであり、前記注射器は、
薬液を充填し、コンジットを介して薬液を送出し、前記コンジットの出口に注射口が形成され、前記注射口に取付け部分が形成されるようにした注射器本体と、
その一端が前記取付け部分に係合される係合部分を有する針先端部と、
開放端部及び閉鎖端部を有するキャップと、
によって構成され、
キャップの開放端部が、漏斗形状の案内部分を外側に向かって形成し、開放端部の内径が、針先端部の装着部分の外径と締り嵌めされるようにしたことを特徴とする注射針先端部の安全キャップ。
【請求項３】
軸方向に延在する複数のリブが、前記キャップの前記開放端部の内周方向に沿って等しい間隔に設けられることを特徴とする請求項１または２に記載の注射針先端部の安全キャップ。
【請求項４】
前記複数のリブの取り囲みによって形成される空間が、針先端部の前記装着部分と締り嵌めされることを特徴とする請求項３に記載の注射針先端部の安全キャップ。
【請求項５】
前記開放端部の内径が、閉鎖端部に向かって徐々に縮径することを特徴とする請求項１または２に記載の注射針先端部の安全キャップ。
【請求項６】
前記キャップ案内部分が、漏斗形状を備えて形成され、その漏斗形状の口径が外側から開放端部に向かって徐々に縮径することを特徴とする請求項１または２に記載の注射針先端部の安全キャップ。
【請求項７】
前記案内部分が、曲率半径を有することを特徴とする請求項６に記載の注射針先端部の安全キャップ。
【請求項８】
前記案内部分が、任意の異なった円錐角度を備えた円錐形状の表面を有することを特徴とする請求項６に記載の注射針先端部の安全キャップ。
【考案の詳細な説明】
【技術分野】
【０００１】
本考案は、安全注射器に関し、詳細には、針先端部が徐々に拡径する漏斗形状の案内表面によって案内され、針先端部がキャップの中に安全で容易に挿入され得るようにした注射針先端部の安全キャップに関する。
【背景技術】
【０００２】
採血または投薬注射のために注射器を使用する医療関係者がしばしば注射器の使用済み針の不注意な取扱いによって刺傷を作り、更になお悪いことには、針からのこの刺傷によってウィルスに感染してしまう事故が絶えず発生している。それ故、医療関係者は針刺し事故の非常に危険なグループに属すると言っても過言ではない。注射器において針が偶発的に刺さることを防止するために、薬液が押し出された後に針先端部に係合され得る引張り装置が、プランジャの前端において押圧方向に設けられ、それによって、針先端部が、プランジャの逆方向への引き戻しによって注射器の中に引っ張られ、引っ込められるものがある。その後、すべてまとめて処分される。理想的な事例では、この種の注射器は、或る程度まで安全な効果を達成することが可能である。しかしながら、この種の注射器の構成要素は、それらの複雑な構造の故に高価であり、使い捨てタイプの注射器には高コストになってしまう。
【０００３】
従来の注射器は、図９から図１１に示される。図９に示されるように、従来の注射器のキャップ（１０）は、その形状が円筒形であり、開放端部（１２）及び閉鎖端部（１４）を有し、開放端部（１２）の直径は、閉鎖端部（１４）の直径とほぼ同じである。図１０及び図１１に示されるように、キャップ（１０）の開放端部（１２）の内径は、注射器（１６）の針装着部分（１８）の外径に嵌合され、それ故、開放端部（１２）の口径は、比較的小さく形成される。針装着部分（１８）が、注射器（１６）の注射が完了した後にキャップ（１０）の中に挿入されるように意図されているとき、針先端部（１９）は、キャップ（１０）の内腔に照準を定めることは容易でなく、針が滑って、注射器を持つ医療関係者の手に刺さり、ウィルスによる感染を引き起こすかもしれない。結果として、従来の注射器の安全性には、未だ更なる改良の余地が残っている。
【考案の開示】
【考案が解決しようとする課題】
【０００４】
従来の注射器の使用における欠陥に照らして、本考案の考案者は、理想的な事例において注射器が最も低いコストで高い安全性を有するべきであると考慮する。それ故、本考案の目的は、注射針先端部の安全キャップを低コストで設けることにある。
【課題を解決するための手段】
【０００５】
上記及びその他の目的は、薬液を充填する薬剤チャンバを有して、その一端がプランジャを介して薬液を加圧可能であり、一方で、他端に注射口が形成され、前記注射口に取付け部分が形成されるようにした注射器本体と、その一端が前記取付け部分に係合される係合部分を有し、他端が薬液を解放する装着部分を介して針に固定取付けされるようにした針先端部と、開放端部及び閉鎖端部を有して、針先端部の外側に被せられ、針を保護するようにしたキャップとによって構成され、キャップの開放端部が、徐々に拡径する漏斗形状の案内部分を外側に向かって形成し、開放端部の内径が、針先端部の装着部分の外径と締り嵌めされるようにしたことを特徴とする、本考案の注射針先端部の安全キャップによって達成される。
【考案の効果】
【０００６】
本考案に拠れば、その構造の少数の部分だけが変更され、これらの変更は、コストアップをもたらすものではない。漏斗形状の案内表面の案内によって、針先端部は、安全な状態でキャップの中に容易に挿入されることが可能である。
【考案を実施するための最良の形態】
【０００７】
本考案の技術的特徴は、好適な１実施例に関する以下の詳細な説明によって更に理解されるであろう。単なる例示的な目的のためのものであり、本考案の範囲を限定するものではないこの好適な実施例は、後続の添付図面に関連する詳細な説明によって更に明らかになる。
【０００８】
先ず、図１、図２及び図３を参照すると、本考案の第１実施例に関する針先端部の安全キャップ２０が示されているが、それに関連する注射器は従来の構造を有する。注射器本体３０は、その一端にプランジャ３１２が設けられ、前方方向におけるその前進によって薬液を加圧可能であり、一方で、他端に注射口が形成され、前記注射口に取付け部分３１３が形成されるようにした、薬液を充填する薬剤チャンバ３１１と、その一端が前記取付け部分３１３に係合する係合部分３２１を有し、他端が（図３に示されたように）薬液を解放する装着部分３２を介して針３３に固定取付けされるようにした針先端部３４と、開放端部２２及び閉鎖端部２４を有し、針先端部３４の外側に被せられ、針３３を保護するようにしたキャップ２０を有する。従来の構造に対する本考案の相違点は、（図１及び図２に示されたように）キャップ２０の開放端部２２が、その内腔寸法を徐々に拡径せしめる漏斗形状の案内部分２６を外側に向かって形成し、開放端部２２の内径が、針先端部３４の装着部分３２の外径と締り嵌めされるようにしたことである。
【０００９】
図４に示された本考案の針先端部の安全キャップ２０は、薬液を充填するチャンバボディ４０と、その一端が薬液の送出しのためにチャンバボディ４０に接続され、他端が取付け部分４２を備えて形成されるようにしたコンジット４１と、その一端が前記取付け部分４２に係合される係合部分３２１を有し、他端が薬液を解放する装着部分３２を介して針３３に固定取付けされるようにした針先端部３４と、開放端部２２及び閉鎖端部２４を備えて、針先端部３４の外側に被せられ、針３３を保護するようにしたキャップ２０とによって構成され、キャップ２０の開放端部２２が、徐々に拡径しているその内腔寸法を有する漏斗形状の案内部分２６を外側に向かって形成し、開放端部２２の内径が、針先端部３４の装着部分３２の外径と締り嵌めされるようにしたことを特徴とする、滴下供給形式の注射器などのようなもう１つの形式の注射器と協同する。
【００１０】
図５及び図６を参照すると、本考案の第２実施例に関する針先端部の安全キャップ２０が示されている。先行の実施例に対するこの実施例の相違点は、キャップ２０の孔径２０１がその開放端部から閉鎖端部に向かって徐々に縮径することと、軸方向に延在する複数のリブ２２１が開放端部２２の内周方向に沿って等しい間隔で設けられることである。リブ２２１の取り囲みによって形成される空間は、（図６に示されたように）針先端部３４の装着部分３２と締り嵌めされる。更に、本考案のバリエーションの具体例が、それぞれ図７及び図８に示されている。キャップ２０の案内部分２６は、その口径が外側から開放端部２２に向かって縮径する漏斗形状に形成される。案内部分２６は、曲率半径を有するように許容され、或いは、任意の異なった円錐角度を備えた円錐形状の表面によって構成される。これらの場合、当該分野の熟練者には、両者の構造が本考案の目的及び効果から逸脱するものではないことが明らかになるであろう。
【００１１】
本考案に従って、上記の実施例における案内部分２６は、キャップ２０の外側において拡径した受入れ口を備えて形成され、受入れ口の断面積は、開放端部２２のものの数倍である。これは、針先端部３４の針３３が、挿入の際に目標の内腔に対して容易に照準を定めることを許容する。更になお、案内部分２６は、その口径が外側から開放端部２２に向かって縮径する漏斗形状を備えて形成される。針先端部３４の針３３は、開放端部２２の内腔に向かって容易に案内されることが可能であり、針先端部３４は、キャップ２０の中に安全状態で容易に挿入されることが可能である。
【００１２】
以上の内容に基づき、本考案の注射針の安全キャップは、何らかの追加のコストアップをもたらすことなく、単に従来のキャップの部分的な構造を変更するだけである。その針先端部は、拡径した漏斗形状の案内表面によって案内されることが可能であり、キャップの中に高い安全性で挿入可能になる。疑いもなく、それは、産業的な利用可能性を有する新規かつ進歩的な考案である。
【００１３】
上述の内容は、例示的な目的のためのものであるに過ぎない好適な実施例であり、本実用新案登録請求の範囲に対する限定事項として考慮されるべきではない。多くの代替案、修正案及びバリエーションは、添付の請求項によって明瞭に規定される本考案の範囲及び精神の中に包含されることが明白である。
【図面の簡単な説明】
【００１４】
【図１】図１は、本考案の第１実施例に関する安全キャップの斜視図である。
【図２】図２は、図１の安全キャップの注射針先端部との組合せを示している概略的断面図である。
【図３】図３は、本考案の安全キャップとそれに関連する注射器を一部切欠いて示している概略図である。
【図４】図４は、本考案の安全キャップとそれに関連するもう１つの注射器を一部切欠いて示している概略図である。
【図５】図５は、キャップが針先端部から切り離されて示されている本考案の安全キャップの第２実施例に関する概略的断面図である。
【図６】図６は、図５の安全キャップの注射針先端部との組合せを示している概略的断面図である。
【図７】図７は、本考案の安全キャップの派生的なバリエーションに関する概略的断面図である。
【図８】図８は、本考案の安全キャップのもう１つの派生的なバリエーションに関する概略的断面図である。
【図９】図９は、従来の注射器のキャップを示している概略的斜視図である。
【図１０】図１０は、注射針と従来のキャップとの組合せを示している概略的側面図である。
【図１１】図１１は、使用状態における注射針と従来のキャップとを示している概略図である。
【符号の説明】
【００１５】
２０      安全キャップ
２０１    孔径
２２      開放端部
２２１    リブ
２４      閉鎖端部
２６      案内部分
３０      注射器本体
３１１    薬液のチャンバ
３１２    プランジャ
３１３    取付け部分
３２      装着部分
３２１    係合部分
３３      針
３４      針先端部
４０      容器
４１      コンジット
４２      取付け部分
【図１】
0003107349.tif 000003
【図２】
0003107349.tif 000004
【図３】
0003107349.tif 000005
【図４】
0003107349.tif 000006
【図５】
0003107349.tif 000007
【図６】
0003107349.tif 000008
【図７】
0003107349.tif 000009
【図８】
0003107349.tif 000010
【図９】
0003107349.tif 000011
【図１０】
0003107349.tif 000012
【図１１】
0003107349.tif 000013